(57)【要約】【課題】ガイド軸の取付けおよび取外しを容易に行うことができる作業性のよい魚釣用スピニングリールを提供すること【解決手段】リール本体１２に装着したハンドル軸２４の回転操作運動をスプール軸３６の前後往復運動に変換するオシレーティング機構２０を備え、このオシレーティング機構２０は、リール本体１２に形成された支持孔５８で一端部を支えられ、スプール軸３６と一体的に連結された摺動体４６の前後動を案内するガイド軸５０を有し、このガイド軸５０は、リール本体１２に取付けられるカバー部材６０の取付ネジ６２により、リール本体１２に固定される魚釣用スピニングリール１０。【選択図】  図１
2007075074.tif 000002
【特許請求の範囲】
【請求項１】
リール本体に装着したハンドル軸の回転操作運動をスプール軸の前後往復運動に変換するオシレーティング機構を備え、このオシレーティング機構は、前記リール本体に形成された支持部で一端部を支えられ、スプール軸と一体的に連結された摺動体の前後動を案内するガイド軸を有し、このガイド軸は、リール本体に取付けられるカバー部材の取付ネジにより、リール本体に固定されることを特徴とする魚釣用スピニングリール。
【発明の詳細な説明】
【技術分野】
【０００１】
本発明は、魚釣用スピニングリールに関し、特に、リール本体に装着したハンドル軸の回転操作運動をスプールの前後往復運動に変換するオシレーティング機構を備える魚釣用スピニングリールに関する。
【背景技術】
【０００２】
一般に、魚釣用スピニングリールのリール本体内には、ハンドルの回転運動をスプールの前後動に変換するオシレーティング機構が設けられている。このオシレーティング機構が、ハンドルの回転操作運動で前後動する摺動体を介して、先端にスプールを設けたスプール軸を前後方向に往復動させる間、ハンドルに連動回転するロータの釣糸案内部を介してスプール上に釣糸が巻回される。
【０００３】
このようなオシレーティング機構には、トラバースカム軸を用いるもの（例えば特許文献１参照）と、減速ギアを用いるもの（例えば特許文献２参照）とが知られている。いずれのオシレーティング機構も、ハンドルからの動力をスプール軸に伝達する摺動体がスプール軸に一体的に連結され、ガイド軸により、前後方向に沿って直線状に案内される。
【０００４】
このように摺動体を案内するガイド軸は、トラバースカム軸と平行になるようにリール本体に挿入され、このリール本体にビス止めされるリテーナにより抜け落ちを阻止されている。また、減速ギアを用いるものでは、ガイド軸の外周面に形成した環状溝にＥ型止め輪を装着し、この止め輪をリール本体の隔壁に係止させることにより、ガイド軸が抜け止めされている。
【特許文献１】実開平５−３４８６１
【特許文献２】特開２００４−８１０７７
【発明の開示】
【発明が解決しようとする課題】
【０００５】
ところで、このような魚釣用スピニングリールでは、ガイド軸のメンテナンスの際あるいはこのガイド軸を交換する場合には、リール本体にねじ止め固定されているカバー等の部材を取外した後、リテーナまたは止め輪を取外してこのガイド軸をリール本体から取出す必要がある。このため、リテーナまたは止め輪を紛失し、あるいは破損してしまう虞があることに加え、部品点数が多く、取付けおよび取外しに極めて面倒な作業を必要とする。
【０００６】
本発明は、このような事情に基いてなされたもので、ガイド軸の取付けおよび取外しを容易に行うことができる作業性のよい魚釣用スピニングリールを提供することを目的とする。
【課題を解決するための手段】
【０００７】
上記目的を達成する本発明は、リール本体に装着したハンドル軸の回転操作運動をスプール軸の前後往復運動に変換するオシレーティング機構を備え、このオシレーティング機構は、前記リール本体に形成された支持部で一端部を支えられ、スプール軸と一体的に連結された摺動体の前後動を案内するガイド軸を有し、このガイド軸は、リール本体に取付けられるカバー部材の取付ネジにより、リール本体に固定されることを特徴とする。  
【発明の効果】
【０００８】
本発明の魚釣用スピニングリールによると、ガイド軸が、カバー部材の取付ネジでリール本体に固定されることにより、このガイド軸をリール本体に固定するための専用の部材を設ける必要がなく、部品点数および組立て工程の減少により、製造コストが低減されると共に、魚釣用スピニングリールが軽量化され、更に、ガイド軸の取付けおよび取外し作業を容易に行うことができる。
【発明を実施するための最良の形態】
【０００９】
図１および図２は本発明の好ましい実施形態による魚釣用スピニングリール１０を示す。この魚釣用スピニングリール１０は、剛性構造のボディ部１２ａの一側に例えば図示しない複数の止めネジで着脱可能に蓋体（図示しない）が固定されるリール本体１２を有し、ボディ部１２ａから延出する脚部１２ｂの端部に形成された竿取付部１２ｃを介して釣竿に取付けることができる。このリール本体１２の内部空間内には、ロータ１４を回転駆動してスプール１６に釣糸を巻回するための巻取駆動機構１８と、スプール１６を前後に往復動させるオシレーティング機構２０とが設けられている。
【００１０】
本実施形態の巻取駆動機構１８は、リール本体１２内に回転可能に支持されてハンドル２２で回転されるハンドル軸２４に固定された駆動歯車２６と、この駆動歯車２６に噛合するピニオンギヤ２８とを備える。このピニオンギヤ２８は、ハンドル軸２４に対して直交する前後方向に延びかつリール本体１２に対して前後の２つの軸受３０，３２を介して回転自在に支持された筒軸２８ａの後端側外周部に設けられている。この筒軸２８ａの先端部には、ベール３４および釣糸案内部（図示しない）を備えたロータ１４が一体的に取り付けられている。
【００１１】
このピニオンギヤ２８および筒軸２８ａ内を、スプール軸３６が貫通し、ハンドル軸２４と直交する方向に延在している。このスプール軸３６は、筒軸２８ａと同心的に配されており、筒軸２８ａおよびリール本体１２に対してハンドル軸２４と直交する方向に沿って前後動することができる。このスプール軸３６の先端部に、釣糸が巻回されるスプール１６が取り付けられる。
【００１２】
スプール１６を前後方向に往復動するオシレーティング機構２０は、本実施形態ではいわゆる減速ギヤタイプとして形成してある。このオシレーティング機構２０は、ハンドル軸２４と一体回転する小歯車３８に噛合して連動する大歯車４０を有し、この大歯車４０に突設され且つ大歯車４０の回転中心軸から偏心して位置する係合突起４２を、スプール軸３６の後端部に、本実施形態ではネジ４４で一体的に連結された摺動体４６のカム溝４８に係合させ、大歯車４０が回転したときに、摺動体４６をガイド軸５０に沿って前後方向に駆動することができる。このようなオシレーティング機構２０は、駆動軸１８がハンドル２２の回転操作によって回転されると、駆動軸１８上の歯車３８と噛み合う大歯車４０が減速されて回転し、それに伴って、大歯車４０の係合突起４２が回転すると共に、この係合突起４２に係合するカム溝４８の案内によって摺動体４６が前後に往復動する。したがって、摺動体４６に取り付けられたスプール軸３６が筒軸２８ａ内を軸方向に沿って往復駆動（前後動）する。このスプール軸３６の前後方向移動距離であるスプールストロークは、連動歯車の回転中心軸からの係合突起４２の偏心量と、カム溝４８の前後方向距離とで定まる。
【００１３】
このように形成された魚釣用スピニングリール１０は、ハンドル２２を回転操作してハンドル軸２４を回転させると、オシレーティング機構２０の摺動体４６に取付けられたスプール軸３６を介してスプール１６が前後に往復動し、一方、巻取駆動機構の駆動歯車２６とピニオンギヤ２８と筒軸２８ａとを介してロータ１４が回転駆動される。したがって、スプール１６には、釣糸案内部３２で案内されつつ、スプール１６上に釣糸がほぼ均等に巻回される。
【００１４】
また、本実施形態では、リール本体１２内に、ロータ１４の逆回転（釣糸をスプールから繰出す方向の回転）を防止する周知の一方向クラッチ５２を備えた逆転防止機構が配置されており、この逆転防止機構を、リール本体１２の後端壁部に設けた切換レバー５４を通じて切換操作し、ロータ１４が正逆転可能な状態と、正転可能でかつ逆転不能の状態とに切換えることができる。ロータ１４がいずれの状態にあっても、ハンドル２２を正転方向（釣糸をスプールに巻き取る方向の回転）に回転すると、図示しない公知の復帰機構を介して、釣糸放出位置にあるベール３４は、図１に示す釣糸巻取位置に復帰することができる。
【００１５】
図２に拡大して示すように、下方すなわちスプール軸３６から離隔する方向に延出した脚部４６ａを介してこの摺動体４６を案内するガイド軸５０は、リール本体１２のボディ部１２ａ内にスプール軸３６と平行に配置されている。このガイド軸５０は、円形あるいは非円形の断面形状を有する細長いロッド状に形成してあり、一端部である先端側がリール本体に形成した有底構造の固定孔５６（支持部）で支えられ、後端側は固定孔５６と同軸状でかつボディ部１２ａのボス部あるいは突部１２ｄに貫通形成した支持孔５８で支えられている。
【００１６】
この支持孔５８は、スプール軸３６と平行に軸方向に沿って比較的長く形成してあり、後端側の外部に開口する開口端からガイド軸５０を受入れたときに、このガイド軸５０をスプール軸３６との平行状態を維持しつつ前方に向けて案内することができる。すなわち、支持孔５８は、開口端から挿入したガイド軸５０の先端の振れを抑制しつつこのガイド軸５０をスプール軸３６と平行に移動することができる軸方向長さに形成してあり、その断面形状はガイド軸５０との間に、摺動可能とする僅かな間隙を形成する形状および大きさに形成してある。なお、ガイド軸５０の先端側を支える固定孔５６の断面形状も、この支持孔５８の断面形状と同様に形成することが好ましい。
【００１７】
このように形成された固定孔５６および支持孔５８に挿通されたガイド軸５０は、先端側が固定孔５６の底壁で前方移動を阻止され、後端側は、リール本体１２に取付けられるカバー部材６０の取付ネジ６２の杆部６２ａにより、後方への移動を阻止され、リール本体１２に固定される。このガイド軸５０が、固定孔５６と支持孔５８との間で、リール本体１２の内部空間内に露出する長さすなわち案内部を形成する軸方向長さは、上述のスプールストロークとほぼ等しく形成してあるが、摺動体４６の脚部４６ａとの干渉が防止されるものであれば、スプールストロークよりも長くてもよい。また、このガイド軸５０は、脚部４６ａを介して摺動体４６を案内できるものであれば、この脚部４６ａに形成した貫通孔あるいは溝に挿通するものであってもよく、あるいは、脚部４６ａの側部に摺接するものであってもよい。脚部４６ａの側部に摺接させる場合には、例えばリール本体１２の壁部等の適宜の部位との間に脚部４６ａを挟んだ状態で案内し、あるいは、２本のガイド軸５０の間に脚部４６ａを挟んだ状態で案内することができる。
【００１８】
本実施形態では、リール本体１２の後部から底部を覆って滑らかな外形形状を形成すると共に、外部からの衝撃から保護するカバー部材６０の取付ネジ６２を螺合するネジ孔６４が、支持孔５８の中心軸に交差あるいは直交する方向に形成してある。このネジ孔６４は、ガイド軸５０の先端を固定孔５６の底壁に当接させたときに、ガイド軸５０の後端が配置される位置でボス部１２ｄに形成され、下方に開口する。このネジ孔６４にカバー部材６０の取付ネジ６２を締付けると、この取付ネジ６２が支持孔５８の開口端を閉じると共にガイド軸５０の後端を係止してガイド軸５０が支持孔５８から抜出るのが防止される。カバー部材６０は、ボス部１２ｄに押圧され、強固に取付けられる。この支持孔５８の開口端はカバー部材６０で覆われることにより、異物の侵入および外力による変形が防止される。
【００１９】
このようにリール本体１２のボス部１２ｄに、ガイド軸５０を支える支持孔５８と、カバー部材６０の取付ネジ６２を螺合するネジ孔６４とが形成されることにより、ガイド軸５０はカバー部材６０の取付ネジ６２でリール本体１２に固定することができ、このガイド軸５０をリール本体１２に固定するための専用の部材を設ける必要がなく、部品点数および組立て工程の減少により、製造コストが低減されると共に、魚釣用スピニングリール１０が軽量化され、更に、ガイド軸５０の取付けおよび取外し作業を容易に行うことができる。
【００２０】
図３および図４はオシレーティング機構２０にトラバースカム軸６６を用いた実施形態を示す。なお、以下に説明する種々の実施形態あるいは変形例は、基本的には上述の実施形態と同様であるため、同様な部位には同様な符号を付し、その詳細な説明を省略する。
【００２１】
本実施形態のオシレーティング機構２０は、スプール軸３６に平行に配置されたトラバースカム軸６６を有する。このトラバースカム軸６６は摺動体６８に固定した突起６８ａが噛合う螺旋状のカム溝６６ａを有し、先端側の小歯車６７を介してピニオンギヤ２８で回転駆動される。これにより、ハンドル２２を回転すると、トラバースカム軸６６が回転し、このカム溝６６ａで案内される摺動体６８によりスプール軸３６が前後方向に往復動する。このトラバースカム軸６６の後方部位の外側に、カバー部材７０が取付けられる。
【００２２】
図４に拡大して示すように、本実施形態では、カバー部材７０の取付ネジ６２を螺合するネジ孔６４が、支持孔５８と同軸状に形成されており、この開口端が、取付ネジ６２で密閉される。一端部である先端部が前記実施形態と同様にリール本体の支持部に支持されたガイド軸５０の後端部は、この取付ネジ６２の先端で係止され、支持孔５８から抜出るのを防止されている。
【００２３】
この実施形態では、カバー部材７０の取付ネジ６２が螺合するネジ孔６４を支持孔５８と同軸状に形成したことにより、支持孔５８とネジ孔６４とを簡単に形成することができる。
【００２４】
図５は、図１および図２に示す実施形態とほぼ同様であるが、ガイド軸５０の支持孔５８をリール本体１２のスプール側すなわち前方側に開口させた実施形態を示す。この実施形態でも、図３および図４に示す実施形態と同様に、カバー部材６０の取付ネジ６２が支持孔５８と同軸状に形成されたネジ孔６４に前方から螺合される。この場合には、カバー部材６０の前部がロータ１４の胴部の内側に屈曲され、取付ネジ６４のロータ１４の内部に配置されるため、カバー部材６０の全体が滑らかな外面を形成する。
【００２５】
図６は、支持孔５８に対して交差する方向にネジ孔６４を形成した実施形態を示す。  
この実施形態では、魚釣用スピニングリール１０の後部に上部カバー部材７２と下部カバー部材７４とが設けられており、上部カバー部材７２は取付ネジ７４により脚部１２ｂに固定され、下部カバー部材７６が、取付ネジ６２によりリール本体１２に固定される。この取付ネジ６２が螺合されるネジ孔６４は支持孔５８に対して非直交状態で交差する方向に沿って形成してある。このように、ネジ孔６４を支持孔５８に対して直交あるいは同軸以外の態様で交差する状態に形成することにより、キャップあるいはカバー部材７４の外形形状を適宜の形状に形成することができ、設計の自由度を向上させることができる。
【００２６】
さらに、一つのリール本体の底部から脚部にかけて形成した複数の取付部（取付ネジ６２，７４の螺合部）に異なる形態や部品数の異なるカバー部材７２，７６を選択的に着脱可能とすることで、外観の異なるリール本体を効率よく実現できる。尚、カバー部材は、２つに限らず、３つ装着できるように、リール本体に取付部を設けてもよく、カバー部材の装着数は限定されない。
【００２７】
図７は、図６に示す実施形態と同様であるが、図６に示す２つのカバー部材７２，７６に代えて１つの大きなカバー部材７８で後部を覆ってある。中間部に空隙８０が形成されることにより、カバー部材７８に衝撃が作用しても、この空隙８０により、リール本体１２に衝撃が作用するのを防止することができる。
【００２８】
以上、本発明の種々の実施形態および変形例について個々に説明してきたが、本発明はいずれかの実施形態あるいは変形例に限定されるものではなく、様々な用途に応じて適宜に組合せあるいは変更することが可能である。
【図面の簡単な説明】
【００２９】
【図１】本発明の好ましい実施形態による魚釣用スピニングリールの部分断面図。
【図２】図１の魚釣用スピニングリールの部分拡大図。
【図３】他の実施形態による魚釣用スピニングリールの部分断面図。
【図４】図３の魚釣用スピニングリールの部分拡大図。
【図５】更に他の実施形態による魚釣用スピニングリールの一部を図２と同様に拡大して示す断面図。
【図６】更に他の実施形態による魚釣用スピニングリールの部分断面図。
【図７】更に他の実施形態による魚釣用スピニングリールの部分断面図。
【符号の説明】
【００３０】
１０…魚釣用スピニングリール、１２…リール本体、２０…オシレーティング機構、２４…ハンドル軸、３６…スプール軸、４６…摺動体、５０…ガイド軸、５８…支持孔、６０…カバー部材、６２…取付ネジ。
【図１】
2007075074.tif 000003
【図２】
2007075074.tif 000004
【図３】
2007075074.tif 000005
【図４】
2007075074.tif 000006
【図５】
2007075074.tif 000007
【図６】
2007075074.tif 000008
【図７】
2007075074.tif 000009